(57)【要約】【課題】背凭れの左右外側方に肘掛けを備えた椅子において、肘掛けに掛かる荷重に対する強度、剛性を確保し、かつ製造コストを抑える。【解決手段】左右一対の肘掛け２１を背凭れ１０の後方で一体に連結するとともに背凭れ１０に結合された状態で左右一対の肘掛け２１を支持する中間連結部２２を備え、中間連結部２２が、当該中間連結部２２における左右に離間した位置を背凭れ１０に結合可能とする左右一対の第一締結部３１と、当該中間連結部２２における左右一対の第一締結部３１の間でこれらを結ぶ直線Ｌ１を避けた位置を背凭れ１０に結合可能とする第二締結部３２と、を有する。【選択図】図５
2015085026.tif 000002
【特許請求の範囲】
【請求項１】
脚体と、前記脚体に支持される座体及び背凭れと、背凭れの外側方に配置される左右の肘掛けと、を備える椅子において、
前記左右の肘掛けを前記背凭れの後方で一体に連結するとともに前記背凭れに結合された状態で前記左右の肘掛けを支持する中間連結部を備え、
前記中間連結部が、当該中間連結部における左右に離間した位置を前記背凭れに結合可能とする左右の第一結合部と、当該中間連結部における前記左右の第一結合部の間でこれらを結ぶ直線を避けた位置を前記背凭れに結合可能とする第二結合部と、を有することを特徴とする椅子。
【請求項２】
前記背凭れが左右外側ほど前側に変位するように湾曲し、この湾曲に沿うように前記左右の第一結合部と前記第二結合部とが前後方向にオフセットして配置されることを特徴とする請求項１に記載の椅子。
【請求項３】
前記中間連結部が前記背凭れの湾曲に沿って配置されることを特徴とする請求項１又は２に記載の椅子。
【請求項４】
前記左右の第一結合部及び前記第二結合部が、それぞれ締結により前記背凭れに結合されることを特徴とする請求項１から３の何れか一項に記載の椅子。
【請求項５】
前記中間連結部が、当該中間連結部における左右に離間した位置を前記背凭れに凹凸嵌合により結合可能とする左右の第三結合部をさらに備えることを特徴とする請求項１から４の何れか一項に記載の椅子。
【請求項６】
前記第三結合部が、前記左右の第一結合部よりも左右外側に配置されることを特徴とする請求項５に記載の椅子。
【請求項７】
前記左右の第一結合部及び前記第二結合部が、前記背凭れに面接触する圧接面を有することを特徴とする請求項１から６の何れか一項に記載の椅子。
【請求項８】
前記左右の肘掛け及び前記中間連結部が、一平面に沿うＵ字形状の連続体として一体形成されることを特徴とする請求項１から７の何れか一項に記載の椅子。
【請求項９】
前記左右の肘掛けが、それぞれ前記中間連結部のみに片持ち支持されることを特徴とする請求項１から８の何れか一項に記載の椅子。
【発明の詳細な説明】
【技術分野】
【０００１】
本発明は、背凭れの左右外側方に肘掛けを備えた椅子に関する。
【背景技術】
【０００２】
特許文献１−４には、椅子の肘掛け取り付け構造が開示されている。
特許文献１では、背凭れの後方に離間して左右中央に位置する支柱に対し、背凭れとともに肘掛けを支持している。
特許文献２では、背凭れの後方で左右に直線状に延びる横板の左右端部に対し、左右肘掛けの後端部を支持している。
特許文献３では、背凭れの基板を脚体に支持するべく、背凭れの下方を迂回する正面視Ｕ字形状のフレームの左右上端部に、左右肘掛けの後端部を支持している。
特許文献４では、左右肘掛けの後端部から下方に延びる基部を、背凭れの左右外側部にそれぞれ支持している。
【先行技術文献】
【特許文献】
【０００３】
【特許文献１】実用新案登録第３０８８６１２号公報
【特許文献２】特公平７−５７２０８号公報
【特許文献３】特開２０１３−６３１７４号公報
【特許文献４】特開２０１２−９５９３１号公報
【発明の概要】
【発明が解決しようとする課題】
【０００４】
しかし、特許文献１の場合、肘掛けから支柱までの距離が遠い分、肘掛けに対する上下、左右の種々の入力に耐え得るには支持腕等に高い強度、剛性が求められてしまう。
また、特許文献２の場合、背凭れの後面に肘掛け（横板）を取り付けており、特許文献１よりも強度的には有利であるが、肘掛けに上下方向の力が掛かった際に、横板の長手方向を軸として回転する方向に力が掛かり、横板を締結するボルト等に力が集中してしまう。
また特許文献３の場合、正面視Ｕ字形状のフレームと左右肘掛けとが一体形成されているため、強度的により有利であるが、このような構造体を成型する金型は複雑かつ大きなものになってしまう。
また、特許文献４の場合、肘掛けが左右で別々の部品構成となっており、かつ金型も別々に必要となるため、コスト増につながってしまう。また、肘掛けに対する左右方向への入力に対しては、基部回りの回転方向の力に対する強度、剛性の確保が困難である。
【０００５】
本発明は上記事情に鑑みてなされたもので、背凭れの左右外側方に肘掛けを備えた椅子において、肘掛けに掛かる荷重に対する強度、剛性を確保し、かつ製造コストを抑えることを目的とする。
【課題を解決するための手段】
【０００６】
上記目的を達成するために、本発明は以下の手段を採用している。
すなわち、本発明に係る椅子は、脚体と、前記脚体に支持される座体及び背凭れと、背凭れの外側方に配置される左右の肘掛けと、を備える椅子において、前記左右の肘掛けを前記背凭れの後方で一体に連結するとともに前記背凭れに結合された状態で前記左右の肘掛けを支持する中間連結部を備え、前記中間連結部が、当該中間連結部における左右に離間した位置を前記背凭れに結合可能とする左右の第一結合部と、当該中間連結部における前記左右の第一結合部の間でこれらを結ぶ直線を避けた位置を前記背凭れに結合可能とする第二結合部と、を有することを特徴とする。
【０００７】
この構成によれば、左右の肘掛け及び中間連結部を含む一体の構造体を左右に離間した第一結合部で背凭れに支持することで、左右の肘掛けに近い位置が背凭れに支持され、肘掛けに掛かる荷重を背凭れで支持し易くなり、肘掛けの強度、剛性を高めることができる。
また、左右の第一結合部を結ぶ直線回りに生じる回転方向の力は、第一結合部の要素の強度のみならず、前記直線を避けて配置された第二結合部を含む三点以上の支持により受けることができるので、各結合部に掛かる荷重を軽減して最適設計によるコストダウンを図ることができる。
さらに、左右の肘掛け同士を中間連結部で一体に連結することで、部品点数を削減して肘掛けの取り付けを容易にすることができる。
また、背凭れの後方に位置する中間連結部を介して左右の肘掛けを連結することで、背凭れよりも下方を迂回する要素を介して左右の肘掛けを連結する場合と比べて、一体の構造体を小型化し、肘掛けの取り付けを容易にすることができる。
【０００８】
また、上記椅子は、前記背凭れが左右外側ほど前側に変位するように湾曲し、この湾曲に沿うように前記左右の第一結合部と前記第二結合部とが前後方向にオフセットして配置される構成でもよい。
この場合、背凭れの湾曲形状に沿って各結合部を自然に前記直線を避けた配置とすることができる。
【０００９】
また、上記椅子は、前記中間連結部が前記背凭れの湾曲に沿って配置される構成でもよい。
この場合、中間連結部の後方への張り出しを抑え、背凭れの後面側の嵩張りを抑えることができる。また、中間連結部の左右端部が前後方向に延びる肘掛けに沿う側に湾曲することで、中間連結部と肘掛けとが緩やかな屈曲で連なり、肘掛けに対する荷重を中間連結部に伝達し易い構造にすることができる。
【００１０】
また、上記椅子は、前記左右の第一結合部及び前記第二結合部が、それぞれ締結により前記背凭れに結合される構成でもよい。
この場合、肘掛けを背凭れに確実かつ着脱可能に支持することができる。
【００１１】
また、上記椅子は、前記中間連結部が、当該中間連結部における左右に離間した位置を前記背凭れに凹凸嵌合により結合可能とする左右の第三結合部をさらに備える構成でもよい。
この場合、肘掛けを取り付ける際の仮組みを容易に実現することができる。
【００１２】
また、上記椅子は、前記第三結合部が、前記左右の第一結合部よりも左右外側に配置される構成でもよい。
この場合、ボルト、ナット等の締結手段の配置スペースを確保し難い背凭れの外側端近傍でも、背凭れに中間連結部を結合することができる。また、第一結合部の締結と第三結合部の嵌合との組み合わせにより、肘掛けに入力される荷重を強固に支持することができる。
【００１３】
また、上記椅子は、前記左右の第一結合部及び前記第二結合部が、前記背凭れに面接触する圧接面を有する構成でもよい。
この場合、圧接面の面接触によって各結合部で荷重を受け易くすることができる。
【００１４】
また、上記椅子は、前記左右の肘掛け及び前記中間連結部が、一平面に沿うＵ字形状の連続体として一体形成される構成でもよい。
この場合、連続体の一体形成によりその製造を容易にしてコストダウンを図るとともに、肘掛け及び中間連結部間の連結部を無くして強度、剛性の確保並びに応力集中の回避を図ることができる。また、連続体を一平面に沿う形状とすることで、一体形成する際の金型を小型化かつ簡素化してコストダウンを図ることができる。
【００１５】
また、上記椅子は、前記左右の肘掛けが、それぞれ前記中間連結部のみに片持ち支持される構成でもよい。
この場合、肘掛けの前端側が非支持となるものの、上述の如く中間連結部が背凭れにしっかり結合されることで、肘掛けの強度、剛性を確保するとともに、肘掛けの軽量化及び取り付けの容易化を図り、かつ着座位置の開放感を向上させることができる。
【発明の効果】
【００１６】
本発明によれば、背凭れの左右外側方に肘掛けを備えた椅子において、肘掛けに掛かる荷重に対する強度、剛性を確保し、かつ製造コストを抑えることができる。
【図面の簡単な説明】
【００１７】
【図１】この発明の実施形態における椅子を前方かつ上方から見た斜視図である。
【図２】上記椅子を後方かつ上方から見た斜視図である。
【図３】上記椅子の後面図である。
【図４】上記椅子の左右方向中心の断面図である。
【図５】図４のＶ−Ｖ断面図である。
【図６】図５のＶＩ−ＶＩ断面図である。
【図７】図５のＶＩＩ−ＶＩＩ断面図である。
【図８】図５のＶＩＩＩ−ＶＩＩＩ断面図である。
【発明を実施するための形態】
【００１８】
以下、本発明の一実施形態について図面を参照して説明する。なお、以下の説明では、椅子の座体上に背凭れに背を向けて着座した着座者の「前方」を図中矢印ＦＲで示し、前記着座者の「上方」を図中矢印ＵＰで示し、上記着座者の「左方」を図中矢印ＬＨで示す。
【００１９】
図１〜図４に示すように、本実施形態の椅子１は、フロアＦ上に載置されるキャスタ９ａ付きの多岐脚９と、多岐脚９の中央部より起立する脚柱９ｂと、脚柱９ｂの上端部に取り付けられる支基３と、支基３の上方に支持される座体４と、座体４の後端上方に一体的に支持される背凭れ１０と、背凭れ１０に支持されてその外側方に配置される左右一対の肘掛け２１と、を備える。以下、多岐脚９、脚柱９ｂ及び支基３を含む構造体を脚体２と称することがある。
【００２０】
座体４は、合成樹脂製の座体基板５の上面側（表面側）にクッション材６及び表皮７を設けた構成を有する。座体基板５は、平面視で概略矩形状をなし、かつ全体的に下方に凸の湾曲形状に形成される。この座体基板５に沿うようにクッション材６及び表皮７が設けられることで、座体４の表皮７側に凹状の着座面が形成される。着座面の左右中央には、表皮７を凹形状に沿わせるように下方（座体内側）に引き込み可能とする前後に長いスリット７ａが形成される。
【００２１】
背凭れ１０は、座体４と同様、合成樹脂製の背凭れ基板１１の前面側（表面側）にクッション材１２及び表皮１３を設けた構成を有する。背凭れ基板１１は、正面視で上下に長い概略台形状をなし、全体的に左右外側部が左右内側部よりも前方に変位するように湾曲して形成される。背凭れ基板１１は、着座者の腰部を後方から支持し易いように、側面視で上下中間部よりもやや下側の高さとなる部位を前方に凸の頂部１５とした緩やかな屈曲形状に形成される。頂部１５は、肘掛け２１の上面と同等の高さに設定される。
【００２２】
この背凭れ基板１１に沿うようにクッション材１２及び表皮１３が設けられることで、背凭れ１０の表皮１３側に背凭れ面が形成される。背凭れ基板１１における前記頂部１５よりも上方の部位は、側面視で後方に凸となるように緩やかに湾曲して形成され、その前方に形成される背凭れ面を凹状にする。背凭れ面における頂部１５よりも上方の部位の左右中央には、表皮１３を凹形状に沿わせるように後方（背凭れ内側）に引き込み可能とする上下に長いスリット１３ａが形成される。
【００２３】
背凭れ１０（背凭れ基板１１）は、特に頂部１５の高さで左右外側部を大きく前方に変位させるように湾曲し、着座者の腰部の左右方向のサポートを強める。背凭れ１０の下端部と座体４の後端部とは、互いに緩やかな屈曲形状を形成するように一体に連なる。
【００２４】
なお、図中符号１６は座体４のクッション材６の左右中央の座体基板５側に形成されて表皮７を下方に引き込む部材を収容可能とする座体内凹部、符号１７は背凭れ１０のクッション材１２の左右中央の背凭れ基板１１側に形成されて表皮１３を後方に引き込む部材を収容可能とする背凭れ内凹部、符号１８は両クッション材５，１２間の内側に形成されて両表皮７，１３間の接続部を下後方に引き込む部材を収容可能とするクッション間凹部、符号１９はハンガー等のオプション部品０Ｐを背凭れ１０の後面（背面）側の上部に取り付け可能とするオプション取り付け部、をそれぞれ示す。
【００２５】
図５を併せて参照し、左右の肘掛け２１は、略水平に（詳細にはやや後下がりに傾斜して）配置された板形状をなし、その後端部２１ａが背凭れ１０の外側端よりも後方に延出する。左右の後端部２１ａは、これらと同等の高さで背凭れ基板１１の後面１０ａに沿って配置された中間連結部２２を介して相互に一体に連結される。左右の肘掛け２１及び中間連結部２２は、一平面に沿うＵ字形状の肘掛け構造体２０として一体形成されている。
【００２６】
なお、図４中線ｓｆ１は左右の肘掛け２１の前端ｔ１及び中間連結部２２の後端ｔ２の三点を通る平面を示し、この平面ｓｆ１から離間しないように肘掛け構造体２０がＵ字形状に形成される。肘掛け構造体２０は、例えば合成樹脂製の一体成型品である。図５中線ｋ１は、肘掛け構造体２０における背凭れ１０の肘掛け２１の高さでの左右外側端と同一の左右方向位置であって、左右の肘掛け２１と中間連結部２２との境界位置を示す。
【００２７】
肘掛け構造体２０は、中間連結部２２が背凭れ基板１１に後面１０ａ側から締結等により結合されることで、背凭れ基板１１に固定的に支持される。この状態で、左右の肘掛け２１は、後端部２１ａが中間連結部２２を介して背凭れ基板１１に支持されるのみであり、前端側が被支持の片持ち支持とされる。このため、肘掛け２１に入力される荷重によるモーメントと反対回りのモーメントが生じるように、中間連結部２２を背凭れ基板１１に取り付ける必要がある。
【００２８】
中間連結部２２は、その左右外側に設けられて互いに左右に離間する左右一対の肘掛け側第一締結部２３と、中央連結部の左右中央に設けられて左右の肘掛け側第一締結部２３に対して後方に変位する単一の肘掛け側第二締結部２４と、左右の肘掛け側第一締結部２３のさらに左右外側に設けられる左右一対の嵌合凸部２５と、を有する。
【００２９】
一方、背凭れ基板１１には、その左右外側に設けられて互いに左右に離間する左右一対の基板側第一締結部２７と、背凭れ基板１１の左右中央に設けられて左右の基板側第一締結部２７に対して後方に変位する単一の基板側第二締結部２８と、左右の基板側第一締結部２７のさらに左右外側に設けられる左右一対の嵌合凹部２９と、を有する。
【００３０】
左右の基板側第一締結部２７はそれぞれ左右の肘掛け側第一締結部２３に対応して設けられ、これらが左右一対の第一締結部３１を構成する。基板側第二締結部２８は肘掛け側第二締結部２４に対応して設けられ、これらが単一の第二締結部３２を構成する。左右の嵌合凹部２９はそれぞれ左右の嵌合凸部２５に対応して設けられ、これらが左右一対の嵌合部３３を構成する。
【００３１】
中間連結部２２は、左右肘掛け２１の後端部２１ａに連なる左右外側部２２ａでは、板形状の肘掛け２１に合わせてやや偏平に形成されるが、左右中央に向かうにつれて、上下の厚さを増すとともに前後幅を抑えるように徐変して形成される。これにより、中間連結部２２全体の強さを維持しながら、中間連結部２２を背凭れ１０に取り付けた際の後方への張り出しを減少させる。
【００３２】
図５〜図８を参照し、肘掛け側第一締結部２３は、座刳り２３ｂを有するボルト挿通孔２３ａと、ボルト挿通孔２３ａの背凭れ１０側の開口の周囲に形成され、締結により背凭れ基板１１の後面１０ａに圧接される第一圧接面２３ｃと、を有する。
また、肘掛け側第二締結部２４は、座刳り２４ｂを有するボルト挿通孔２４ａと、ボルト挿通孔２４ａの背凭れ１０側の開口の周囲に形成され、締結により背凭れ基板１１の後面１０ａに圧接される第二圧接面２４ｃと、を有する。
【００３３】
各ボルト挿通孔２３ａ，２４ａは、やや後下がりに傾斜し、互いに平行に設けられる。これら各ボルト挿通孔２３ａ，２４ａに、後方からボルトｂ１，ｂ２が挿通され、基板側第一締結部２７及び基板側第二締結部２８にそれぞれ埋設されたナットｎ１，ｎ２に螺着されて締め込まれる。この状態で、各ボルトｂ１，ｂ２の頭部は、それぞれ座刳り２３ｂ，２４ｂ内に収まり、中間連結部２２の後方に突出することはない。
【００３４】
中間連結部２２の前面２２ｂは、背凭れ基板１１の後面１０ａに沿うように形成されており、各締結部３１，３２の締結時には、中間連結部２２の前面２２ｂが背凭れ基板１１の後面１０ａに当接又は微小隙を空けて近接する。中間連結部２２の前面２２ｂに沿う各圧接面２３ｃ，２４ｃは、それぞれボルトｂ１，ｂ２の中心軸線ｃ１，ｃ２よりも上方の上下幅が下方の上下幅よりも広くなるように設けられる。以下、各締結部３１，３２における各圧接面２３ｃ，２４ｃと軸線ｃ１，ｃ２との交点を締結中心としての締結点ｐ１，ｐ２とする。
【００３５】
肘掛け２１における着座者の肘を載せた通常使用時において、各締結部３１，３２には、概ね締結点ｐ１，ｐ２を中心とした前回りのモーメントが生じる。これに対し、圧接面２３ｃ，２４ｃが背凭れ基板１１の後面１０ａに密着し、締結点ｐ１，ｐ２よりも上方で後面１０ａを押圧することで、前記モーメントと反対回り（後回り）のモーメントが生じ、肘掛け２１が所定高さに保持される。このとき、圧接面２３ｃ，２４ｃが締結面よりも上方でより広く背凭れ基板１１の後面１０ａに接することで、圧接面２３ｃ，２４ｃ及び後面１０ａに作用する圧力が分散、軽減される。なお、図では圧接面２３ｃ，２４ｃは中間連結部２２と面一に設けられるが、圧接面２３ｃ，２４ｃを前方に突出させて背凭れ基板１１に当接させたり、背凭れ基板１１に圧接面２３ｃ，２４ｃを当接させる台座を設けてもよい。
【００３６】
図５、図８を参照し、嵌合凸部２５は、各ボルト挿通孔２３ａ，２４ａと平行に前方へ突出する円柱形状に形成される。また、嵌合凹部２９は、背凭れ基板１１に嵌合凸部２５と同軸に形成された例えば円形の貫通孔とされる。これにより、肘掛け構造体２０を背凭れ１０に取り付ける際、嵌合凸部２５を嵌合凹部２９に挿入することで、連結帯の位置決め及び仮組みが可能となる。なお、嵌合凹部２９が有底の穴であってもよい。
【００３７】
嵌合部３３により、中間連結部２２の左右外側部２２ａが背凭れ基板１１の外側端に近い位置に結合される。これにより、特に着座者が立ち上がるとき等に肘掛け２１が受ける上下、左右への種々の入力がしっかり受け止められ、肘掛け２１の剛性感が高まる。背凭れ基板１１の外側端の近傍は、背凭れ１０の前後の厚さが減少してナット等を設置することが困難になっているが、嵌合凹部２９は単なる貫通孔等でよく、中間連結部２２の極力外側に設けることが可能である。嵌合凸部２５の基端の周囲には、各締結部３１，３２の締結時に背凭れ基板１１の後面１０ａに圧接又は微小隙を空けて近接する対向面２５ｃが形成される。以下、対向面２５ｃと嵌合凸部２５の中心軸線ｃ３との交点を嵌合中心としての嵌合点ｐ３とする。
【００３８】
図５を参照し、中間連結部２２の左右外側部２２ａは、背凭れ基板１１の左右外側部に沿って左右外側かつ前方に向けて斜めに湾曲する。この左右外側部２２ａが、前後方向に延びる肘掛け２１の後端部２１ａに接続されるので、外側部２２ａ及び後端部２１ａが鈍角を形成するように連なる。中間連結部２２の左右外側部２２ａが単に左右外側に向けて形成される場合、外側部２２ａ及び後端部２１ａが直角を形成するように連なり、当該部位に肘掛け２１への入力による応力が集中し易い。一方、前述の如く外側部２２ａ及び後端部２１ａが鈍角状に連なることで、当該部位への応力集中が緩和される。
【００３９】
左右の第一締結部３１及び嵌合部３３並びに第二締結部３２は、背凭れ基板１１の湾曲形状に沿うように、相互に前後方向にオフセットして設けられる。第二締結部３２の締結点ｐ２は、左右の第一締結部３１の締結点ｐ１を結ぶ直線Ｌ１、及び左右の嵌合部３３の嵌合点ｐ３を結ぶ直線Ｌ２のそれぞれを、後方に避けて設けられるといえる。
【００４０】
次に、肘掛け構造体２０を背凭れ１０に取り付ける手順について説明する。
まず、脚体２に支持された背凭れ１０の後方より、その左右外側の嵌合凹部２９に対して、肘掛け構造体２０の左右外側の嵌合凸部２５を挿入し、肘掛け構造体２０の仮組み状態とする。嵌合凸部２５及び嵌合凹部２９は、相互の嵌め合いを適度な締め代に設定することで、仮組みの容易性と嵌合による結合強度とを両立させる。例えば、嵌合凸部２５の外周面及び嵌合凹部２９の内周面の少なくとも一方をテーパ状に形成し、仮組みを容易にしながら嵌合凸部２５及び嵌合凹部２９を強固に嵌合可能としてもよい。
【００４１】
上記仮組み後、各締結部３１，３２のボルト挿通孔２３ａ，２４ａに後方からボルトｂ１，ｂ２を挿通し、これらのボルトｂ１，ｂ２を各締結部３１，３２のナットｎ１，ｎ２に螺着し締め込むことで、各締結部３１，３２が締結により結合され、肘掛け構造体２０（左右の肘掛け２１）が規定位置に支持された取り付け状態となり、肘掛け構造体２０の取り付けが完了する。
【００４２】
このとき、左右の肘掛け２１は、その後端部２１ａのみが片持ち支持されるので、上下方向の荷重が加わった際には、左右の後端部２１ａを支持する中間連結部２２には、左右方向に沿う軸回りのモーメントが生じる。このモーメントと反対回りのモーメントが生じるように、各締結部３１，３２及び嵌合部３３が反力を発生させる。この反力は、各締結部３１，３２及び嵌合部３３が左右方向に沿う直線上に並ぶ場合には、各締結部３１，３２及び嵌合部３３の要素の強さ（ボルトの曲げ強さ等）に大きく依存するが、各締結部３１，３２及び嵌合部３３が同一直線（直線Ｌ１，Ｌ２）を避けて配置されることで、これらの配置によって肘掛け２１への上下方向の荷重によるモーメントに抗することが可能である。また、肘掛け２１に左右方向の荷重が加わった際には、肘掛け２１の基端（後端）に近い位置にて、左右の第一締結部３１及び嵌合部３３の組み合わせにより強固に荷重を支持することが可能である。
【００４３】
以上説明したように、上記実施形態の椅子１は、脚体２と、前記脚体２に支持される座体４及び背凭れ１０と、背凭れ１０の外側方に配置される左右一対の肘掛け２１と、前記左右一対の肘掛け２１を前記背凭れ１０の後方で一体に連結するとともに前記背凭れ１０に結合された状態で前記左右一対の肘掛け２１を支持する中間連結部２２と、を備え、前記中間連結部２２が、当該中間連結部２２における左右に離間した位置を前記背凭れ１０に結合可能とする左右一対の第一締結部３１と、当該中間連結部２２における前記左右一対の第一締結部３１の間でこれらを結ぶ直線Ｌ１を避けた位置を前記背凭れ１０に結合可能とする第二締結部３２と、を有するものである。
【００４４】
この構成によれば、左右の肘掛け２１及び中間連結部２２を含む一体の肘掛け構造体２０を左右に離間した第一締結部３１で背凭れ１０に支持することで、左右の肘掛け２１に近い位置が背凭れ１０に支持され、肘掛け２１に掛かる荷重を背凭れ１０で支持し易くなり、肘掛け２１の強度、剛性を高めることができる。
また、左右の第一締結部３１を結ぶ直線Ｌ１回りに生じる回転方向の力は、第一締結部３１の要素の強度のみならず、前記直線Ｌ１を避けて配置された第二締結部３２を含む三点以上の支持により受けることができるので、各締結部３１，３２に掛かる荷重を軽減して最適設計によるコストダウンを図ることができる。
さらに、左右の肘掛け２１同士を中間連結部２２で一体に連結することで、部品点数を削減して肘掛け２１の取り付けを容易にすることができる。
また、背凭れ１０の後方に位置する中間連結部２２を介して左右の肘掛け２１を連結することで、背凭れ１０よりも下方を迂回する要素を介して左右の肘掛け２１を連結する場合と比べて、一体の肘掛け構造体２０を小型化し、肘掛け２１の取り付けを容易にすることができる。
【００４５】
また、前記背凭れ１０が左右外側ほど前側に変位するように湾曲し、この湾曲に沿うように前記左右一対の第一締結部３１と前記第二締結部３２とが前後方向にオフセットして配置されることで、背凭れ１０の湾曲形状に沿って各締結部３１，３２を自然に前記直線Ｌ１を避けた配置とすることができる。
【００４６】
また、前記中間連結部２２が前記背凭れ１０の湾曲に沿って配置されることで、中間連結部２２の後方への張り出しを抑え、背凭れ１０の後面１０ａ側の嵩張りを抑えることができる。また、中間連結部２２の左右端部が前後方向に延びる肘掛け２１に沿う側に湾曲することで、中間連結部２２と肘掛け２１とが緩やかな屈曲で連なり、肘掛け２１に対する荷重を中間連結部２２に伝達し易い構造にすることができる。
【００４７】
また、前記左右一対の第一締結部３１及び前記第二締結部３２が、それぞれ締結により前記背凭れ１０に結合されることで、肘掛け２１を背凭れ１０に確実かつ着脱可能に支持することができる。
【００４８】
また、前記中間連結部２２が、当該中間連結部２２における左右に離間した位置を前記背凭れ１０に凹凸嵌合により結合可能とする左右一対の嵌合部３３をさらに備えることで、肘掛け２１を取り付ける際の仮組みを容易に実現することができる。
【００４９】
また、前記嵌合部３３が、前記左右一対の第一締結部３１よりも左右外側に配置されることで、ボルト、ナット等の締結手段の配置スペースを確保し難い背凭れ１０の外側端近傍でも、背凭れ１０に中間連結部２２を結合することができる。また、第一締結部３１の締結と嵌合部３３の嵌合との組み合わせにより、肘掛け２１に入力される荷重を強固に支持することができる。
【００５０】
また、前記左右一対の第一締結部３１及び前記第二締結部３２が、前記背凭れ１０に面接触する圧接面２３ｃ，２４ｃを有することで、圧接面２３ｃ，２４ｃの面接触によって各締結部３１，３２で荷重を受け易くすることができる。
【００５１】
また、前記左右一対の肘掛け２１及び前記中間連結部２２が、一平面ｓｆ１に沿うＵ字形状の肘掛け構造体２０として一体形成されることで、肘掛け構造体２０の一体形成によりその製造を容易にしてコストダウンを図るとともに、肘掛け２１及び中間連結部２２間の連結部を無くして強度、剛性の確保並びに応力集中の回避を図ることができる。また、肘掛け構造体２０を一平面ｓｆ１に沿う形状とすることで、一体形成する際の金型を小型化かつ簡素化してコストダウンを図ることができる。
【００５２】
また、前記左右一対の肘掛け２１が、それぞれ前記中間連結部２２のみに片持ち支持されることで、肘掛け２１の前端側が非支持となるものの、上述の如く中間連結部２２が背凭れ１０にしっかり結合されることで、肘掛け２１の強度、剛性を確保するとともに、肘掛け２１の軽量化及び取り付けの容易化を図り、かつ着座位置の開放感を向上させることができる。
【００５３】
なお、本発明は上記実施形態に限られるものではなく、例えば、第一締結部３１に相当する第一結合部が複数対設けられたり、第二締結部３２に相当する第二結合部が複数設けられてもよい。各締結部３１，３２に代わり締結具ではない結合手段により背凭れ基板と中間連結部とを結合する結合部を備えてもよい。肘掛け構造体２０が左右の肘掛けと中間連結部とを一体に連結した構成でもよい。肘掛け構造体２０が合成樹脂製ではなくアルミ鋳造製等であってもよい。嵌合部３３が背凭れに凸部、中間連結部に凹部を備えた構成でもよい。
そして、上記した構成は本発明の一例であり、当該発明の要旨を逸脱しない範囲で種々の変更が可能である。
【符号の説明】
【００５４】
１  椅子
２  脚体
４  座体
１０  背凭れ
２０  肘掛け構造体
２１  肘掛け
２２  中間連結部
２３ｃ，２４ｃ  圧接面
３１  第一締結部（第一結合部）
３２  第二締結部（第二結合部）
３３  嵌合部（第三結合部）
Ｌ１  直線
ｓｆ１  平面
【図１】
2015085026.tif 000003
【図２】
2015085026.tif 000004
【図３】
2015085026.tif 000005
【図４】
2015085026.tif 000006
【図５】
2015085026.tif 000007
【図６】
2015085026.tif 000008
【図７】
2015085026.tif 000009
【図８】
2015085026.tif 000010